【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
（Ａ）界面活性剤系と、（Ｂ）少なくとも１つの追加の機能性成分とを含む、すすぎ助剤組成物であって、
（Ａ）界面活性剤系は、
以下の式：
Ｒ１−Ｏ−（ＥＯ）ｘ３（ＰＯ）ｙ３−Ｈ  （Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ  （Ａ２）
（式中、Ｒ１が直鎖Ｃ１０−Ｃ１６アルキルであり、ｘ４が４〜６であり、ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、
ｘ１が５〜１０である）に従う、非イオン性アルコールアルコキシレートと、を含み、
前記組成物の泡プロファイルは、Ｇｌｅｗｗｅ法を使用して５分後に５インチ未満の泡高さを有し、
前記組成物は、シーティング、湿潤、及び乾燥特性を提供する、プラスチックと相性の良いものである、すすぎ助剤組成物。
【請求項２】
以下の式：
Ｒ２−Ｏ−（ＥＯ）ｘ２−Ｈ  （Ｃ）
（式中、Ｒ２が、残基１つ当たり平均少なくとも２つの分岐を有するＣ１０−Ｃ１４アルキルであり、ｘ２が２〜４である）に従う、非イオン性アルコールアルコキシレートをさらに含む、請求項１に記載の組成物。
【請求項３】
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ８−Ｃ１６ゲルベ（Ｇｕｅｒｂｅｔ）アルコールであり、ｘ５が５〜３０であり、ｙ５が１〜４であり、ｙ６が１０〜２０である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化１】
2018517049.tif 000001
（Ｆ）
（式中、ｘが１２〜２０であり、ｙが１２０〜２２０であり、ｚが１２〜２０である）、
【化２】
2018517049.tif 000002
（Ｇ）
（式中、ｘが８８〜１０８であり、ｙが５７〜７７であり、ｚが８８〜１０８である）、
【化３】
2018517049.tif 000003
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項１または２に記載の組成物。
【請求項４】
前記組成物が液体濃縮物である、請求項１〜３のいずれか一項に記載の組成物。
【請求項５】
前記組成物が固体である、請求項１〜４のいずれか一項に記載の組成物。
【請求項６】
前記組成物が、圧縮または押出固体であり、任意に式（ＥＯ）ｘ６（ＰＯ）ｙ７（ＥＯ）ｘ６（式中、ｘ６が８８〜１０８であり、ｙ７が５７〜７７である）を有するブロックＥＯ−ＰＯ−ＥＯ界面活性剤ポリマーをさらに含む、請求項１〜５のいずれか一項に記載の組成物。
【請求項７】
前記組成物の接触角が、従来のすすぎ助剤組成物と比較して少なくとも５度低減される、請求項１〜６のいずれか一項に記載の組成物。
【請求項８】
前記組成物の接触角が、従来のすすぎ助剤組成物と比較して少なくとも１０度低減される、請求項１〜７のいずれか一項に記載の組成物。
【請求項９】
前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｃ）に従う前記アルコールアルコキシレートで構成される、請求項２〜８のいずれか一項に記載の組成物。
【請求項１０】
前記界面活性剤系の前記非イオン性アルコールアルコキシレートの重量比が、３０〜４５重量部の式（ＡまたはＡ２）に従う前記アルコールアルコキシレート、２０〜５０重量部の式（Ｂ）に従う前記アルコールアルコキシレート、及び５〜４０重量部の式（Ｃ）に従う前記アルコールアルコキシレートで構成される、請求項２〜８のいずれか一項に記載の界面活性剤系。
【請求項１１】
前記非イオン性アルコールアルコキシレートの比率が、約３０／３０／４０（ＡまたはＡ２／Ｂ／Ｃ）〜約４５／４５／１０（ＡまたはＡ２／Ｂ／Ｃ）である、請求項２〜１０のいずれか一項に記載の組成物。
【請求項１２】
前記追加の機能性成分が、硬化剤、担体、キレート剤、金属封鎖剤、ビルダー剤、水質調整剤、漂白剤、消毒薬、消泡剤、再堆積防止剤、蛍光増白剤、染料、付臭剤、安定化剤、分散剤、酵素、腐食抑制剤、増粘剤、及び／または溶解性調節剤である、請求項１〜１１のいずれか一項に記載の組成物。
【請求項１３】
（Ａ）界面活性剤系と（Ｂ）少なくとも１つの追加の機能性成分とを含む、すすぎ助剤組成物であって、
（Ａ）界面活性剤系は、
以下の式：
Ｒ１−Ｏ−（ＥＯ）ｘ３（ＰＯ）ｙ３−Ｈ  （Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ  （Ａ２）
（式中、Ｒ１が直鎖Ｃ１０−Ｃ１６アルキルであり、ｘ４が４〜６であり、
ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、
ｘ１が５〜１０である）に従う、非イオン性アルコールアルコキシレートと、を含み、
（Ｂ）少なくとも１つの追加の機能性成分は、金属イオン封鎖剤、水調整剤、酸性化剤、キレート剤、ビルダー剤、及びそれらの組み合わせから成る群から選択され、
前記組成物は、８．５以下のｐＨ、約１ｐｐｍ〜約１２５ｐｐｍの界面活性剤系活性を有する使用溶液であり、
前記組成物の泡プロファイルは、Ｇｌｅｗｗｅ法を使用して５分後に５インチ未満の泡高さを有し、
前記組成物は、シーティング、湿潤、及び乾燥特性を提供する、プラスチックと相性の良いものである、すすぎ助剤組成物。
【請求項１４】
以下の式：
Ｒ２−Ｏ−（ＥＯ）ｘ２−Ｈ  （Ｃ）、
（式中、Ｒ２が、残基１つ当たり平均少なくとも２つの分岐を有するＣ１０−Ｃ１４アルキルであり、ｘ２が２〜４である）に従う、非イオン性アルコールアルコキシレートをさらに含み、前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｃ）に従う前記アルコールアルコキシレートで構成される、請求項１３に記載の組成物。
【請求項１５】
前記非イオン性アルコールアルコキシレートの比率が、約３０／３０／４０（ＡまたはＡ２／Ｂ／Ｃ）〜約４５／４５／１０（ＡまたはＡ２／Ｂ／Ｃ）である、請求項１４に記載の組成物。
【請求項１６】
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ８−Ｃ１６ゲルベアルコールであり、ｘ５が５〜３０であり、ｙ５が１〜４であり、ｙ６が１０〜２０である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化４】
2018517049.tif 000004
（Ｆ）
（式中、ｘが１２〜２０であり、ｙが１２０〜２２０であり、ｚが１２〜２０である）、
【化５】
2018517049.tif 000005
（Ｇ）
（式中、ｘが８８〜１０８であり、ｙが５７〜７７であり、ｚが８８〜１０８である）、
【化６】
2018517049.tif 000006
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項１３〜１５のいずれか一項に記載の組成物。
【請求項１７】
その使用溶液が、約１ｐｐｍ〜約５０ｐｐｍの界面活性剤系活性を提供する、請求項１３〜１６のいずれか一項に記載の組成物。
【請求項１８】
前記組成物が固体であり、約１０重量％〜約８０重量％の界面活性剤系、約０重量％〜約８０重量％のカップリング剤、約１０重量％〜約８０重量％の固化助剤、約０重量％〜約１０重量％の水調整剤、約０重量％〜約１０重量％のキレート剤、約０重量％〜約２０重量％の酸性化剤、約０重量％〜約５重量％の水、ならびに約０重量％〜約２重量％の防腐剤及び／または染料を含む、請求項１３〜１７のいずれか一項に記載の組成物。
【請求項１９】
前記組成物が液体であり、約２重量％〜約９０重量％の界面活性剤系、約０重量％〜約８０重量％のカップリング剤、約０重量％〜約１０重量％の水調整剤、約０重量％〜約１０重量％のキレート剤、約０重量％〜約１５重量％の酸性化剤、約０重量％〜約９５重量％の水、ならびに約０重量％〜約２重量％の防腐剤及び／または染料を含む、請求項１３〜１７のいずれか一項に記載の組成物。
【請求項２０】
固化助剤、担体、キレート剤、漂白剤、消毒薬、消泡剤、再堆積防止剤、蛍光増白剤、染料、付臭剤、安定化剤、分散剤、酵素、腐食抑制剤、増粘剤、及び／または溶解性調節剤から成る群から選択される追加の機能性成分をさらに含む、請求項１３〜１９のいずれか一項に記載の組成物。
【請求項２１】
（Ａ）界面活性剤系と、（Ｂ）少なくとも１つの追加の機能性成分とを含む、すすぎ助剤組成物であって、
（Ａ）界面活性剤系は、
以下の式：
Ｒ１−Ｏ−（ＥＯ）ｘ３（ＰＯ）ｙ３−Ｈ（Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ  （Ａ２）
（式中、Ｒ１が、直鎖Ｃ１０−Ｃ１６アルキルであり、ｘ４が４〜６であり、ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、
ｘ１が５〜１０である）に従う、非イオン性アルコールアルコキシレートと、
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ8−Ｃ１６ゲルベアルコールであり、ｘ５が５〜３０であり、ｙ５が１〜４であり、ｙ６が１０〜２０である）に従う、非イオン性ゲルベアルコールアルコキシレートと、を含み、
前記組成物の泡プロファイルは、Ｇｌｅｗｗｅ法を使用して５分後に５インチ未満の泡高さを有し、
前記組成物は、シーティング、湿潤、及び乾燥特性を提供する、プラスチックと相性の良いものである、すすぎ助剤組成物。
【請求項２２】
以下の式：
Ｒ２−Ｏ−（ＥＯ）ｘ２−Ｈ  （Ｃ）
（式中、Ｒ２が、残基１つ当たり平均少なくとも２つの分岐を有するＣ１０−Ｃ１４アルキルであり、ｘ２が２〜４である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化７】
2018517049.tif 000007
（Ｆ）
（式中、ｘが１２〜２０であり、ｙが１２０〜２２０であり、ｚが１２〜２０である）、
【化８】
2018517049.tif 000008
（Ｇ）
（式中、ｘが８８〜１０８であり、ｙが５７〜７７であり、ｚが８８〜１０８である）、
【化９】
2018517049.tif 000009
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項２１に記載の組成物。
【請求項２３】
前記組成物が液体濃縮物である、請求項２１または２２に記載の組成物。
【請求項２４】
前記組成物が固体である、請求項２１〜２３のいずれか一項に記載の組成物。
【請求項２５】
前記組成物が、圧縮または押出固体であり、任意に式（ＥＯ）ｘ６（ＰＯ）ｙ７（ＥＯ）ｘ６（式中、ｘ６が８８〜１０８であり、ｙ７が５７〜７７である）を有するブロックＥＯ−ＰＯ−ＥＯ界面活性剤ポリマーをさらに含む、請求項２４に記載の組成物。
【請求項２６】
前記組成物の接触角が、従来のすすぎ助剤組成物と比較して少なくとも５度低減される、請求項２１〜２５のいずれか一項に記載の組成物。
【請求項２７】
前記組成物の接触角が、従来のすすぎ助剤組成物と比較して少なくとも１０度低減される、請求項２１〜２６のいずれか一項に記載の組成物。
【請求項２８】
前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｄ）に従う前記ゲルベアルコールアルコキシレートで構成される、請求項２１〜２７のいずれか一項に記載の組成物。
【請求項２９】
前記界面活性剤系の前記非イオン性アルコールアルコキシレートの重量比が、３０〜４５重量部の式（ＡまたはＡ２）に従う前記アルコールアルコキシレート、２０〜５０重量部の式（Ｂ）に従う前記アルコールアルコキシレート、及び５〜４０重量部の式（Ｄ）に従う前記ゲルベアルコールアルコキシレートで構成される、請求項２１〜２７のいずれか一項に記載の界面活性剤系。
【請求項３０】
前記非イオン性アルコールアルコキシレートの比率が、約３０／３０／４０（ＡまたはＡ２／Ｂ／Ｄ）〜約４５／４５／１０（ＡまたはＡ２／Ｂ／Ｄ）である、請求項２１〜２９のいずれか一項に記載の組成物。
【請求項３１】
前記追加の機能性成分が、硬化剤、担体、キレート剤、金属封鎖剤、ビルダー剤、水質調整剤、漂白剤、消毒薬、消泡剤、再堆積防止剤、蛍光増白剤、染料、付臭剤、安定化剤、分散剤、酵素、腐食抑制剤、増粘剤、及び／または溶解性調節剤である、請求項２１〜３０のいずれか一項に記載の組成物。
【請求項３２】
前記追加の機能性成分が、消毒剤である、請求項３１に記載の組成物。
【請求項３３】
（Ａ）界面活性剤系と、（Ｂ）少なくとも１つの追加の機能性成分とを含む、すすぎ助剤組成物であって、
（Ａ）界面活性剤系は、
以下の式：
Ｒ１−Ｏ−（ＥＯ）ｘ３（ＰＯ）ｙ３−Ｈ  （Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ  （Ａ２）
（式中、Ｒ１が、直鎖Ｃ１０−Ｃ１６アルキルであり、ｘ４が４〜６であり、ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、
ｘ１が５〜１０である）に従う、非イオン性アルコールアルコキシレートと、
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ8−Ｃ１６ゲルベアルコールであり、ｘ５が５〜３０であり、ｙ５が１〜４であり、ｙ６が１０〜２０である）に従う、非イオン性ゲルベアルコールアルコキシレートと、を含み、
（Ｂ）少なくとも１つの追加の機能性成分は、消毒剤、金属イオン封鎖剤、水調整剤、酸性化剤、キレート剤、ビルダー剤、及びそれらの組み合わせから成る群から選択され、
前記組成物は、８．５以下のｐＨ、約１ｐｐｍ〜約１２５ｐｐｍの界面活性剤系活性を有する使用溶液であり、
前記組成物の泡プロファイルは、Ｇｌｅｗｗｅ法を使用して５分後に５インチ未満の泡高さを有し、
前記組成物は、シーティング、湿潤、及び乾燥特性を提供するプラスチックと相性の良いものである、すすぎ助剤組成物。
【請求項３４】
以下の式：
Ｒ２−Ｏ−（ＥＯ）ｘ２−Ｈ  （Ｃ）
（式中、Ｒ２が、残基１つ当たり平均少なくとも２つの分岐を有するＣ１０−Ｃ１４アルキルであり、ｘ２が２〜４である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化１０】
2018517049.tif 000010
（Ｆ）
（式中、ｘが１２〜２０であり、ｙが１２０〜２２０であり、ｚが１２〜２０である）、
【化１１】
2018517049.tif 000011
（Ｇ）
（式中、ｘが８８〜１０８であり、ｙが５７〜７７であり、ｚが８８〜１０８である）、
【化１２】
2018517049.tif 000012
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項３３に記載の組成物。
【請求項３５】
前記非イオン性アルコールアルコキシレートの比率が、約３０／３０／４０（ＡまたはＡ２／Ｂ／Ｄ）〜約４５／４５／１０（ＡまたはＡ２／Ｂ／Ｄ）である、請求項３３に記載の組成物。
【請求項３６】
前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｄ）に従う前記ゲルベアルコールアルコキシレートで構成される、請求項３３〜３５のいずれか一項に記載の組成物。
【請求項３７】
その使用溶液が、約１ｐｐｍ〜約５０ｐｐｍの界面活性剤系活性を提供する、請求項３３〜３６のいずれか一項に記載の組成物。
【請求項３８】
前記組成物が固体であり、約１０重量％〜約８０重量％の界面活性剤系、約０重量％〜約８０重量％のカップリング剤、約１０重量％〜約８０重量％の固化助剤、約０重量％〜約１０重量％の水調整剤、約０重量％〜約１０重量％のキレート剤、約０重量％〜約２０重量％の酸性化剤、約０重量％〜約５重量％の水、ならびに約０重量％〜約２重量％の防腐剤及び／または染料を含む、請求項３３〜３７のいずれか一項に記載の組成物。
【請求項３９】
前記組成物が液体であり、約２重量％〜約９０重量％の界面活性剤系、約０重量％〜約８０重量％のカップリング剤、約０重量％〜約１０重量％の水調整剤、約０重量％〜約１０重量％のキレート剤、約０重量％〜約１５重量％の酸性化剤、約０重量％〜約９５重量％の水、ならびに約０重量％〜約２重量％の防腐剤及び／または染料を含む、請求項３３〜３７のいずれか一項に記載の組成物。
【請求項４０】
前記追加の機能性成分が、硬化剤、担体、キレート剤、金属封鎖剤、ビルダー剤、水質調整剤、漂白剤、消毒薬、消泡剤、再堆積防止剤、蛍光増白剤、染料、付臭剤、安定化剤、分散剤、酵素、腐食抑制剤、増粘剤、及び／または溶解性調節剤である、請求項３３〜３９のいずれか一項に記載の組成物。
【請求項４１】
表面をすすぐための方法であって、
（Ａ）請求項１〜４０のいずれかに記載のすすぎ助剤組成物を提供することと、
（Ｂ）前記組成物を水と接触させ、約１ｐｐｍ〜約１２５ｐｐｍの界面活性剤系活性を提供する使用溶液を形成することと、
（Ｃ）前記使用溶液をすすぐ必要がある表面に１６０°Ｆを超える温度で適用することと、を含み、前記界面活性剤系が、前記組成物の接触角を市販のすすぎ助剤組成物の接触角と比較して少なくとも約５度低減させ、シーティングを誘発し、前記表面のより速い乾燥時間をもたらす、方法。
【請求項４２】
前記界面活性剤系が、前記組成物の接触角を市販のすすぎ助剤の接触角と比較して少なくとも約１０度低減させ、シーティングを誘発し、前記表面のより速い乾燥時間をもたらす、請求項４１に記載の方法。
【請求項４３】
前記表面が器物である、請求項４１または４２に記載の方法。
【請求項４４】
前記器物がプラスチックである、請求項４１または４２に記載の方法。
【請求項４５】
前記使用溶液を前記器物に適用した後、前記器物が約３０〜約９０秒以内に乾燥する、請求項４１〜４４のいずれか一項に記載の方法。
【請求項４６】
前記方法が、一般消費者用または業務用食器機械内で行われる、請求項４１〜４５のいずれか一項に記載の方法。
【請求項４７】
表面をすすぐための、請求項１〜４０のいずれか一項に記載の前記すすぎ助剤組成物の使用。